(57)【要約】【課題】電気機器の使用状況を学習する必要なく、効率的に電気機器への待機通電及び停止を行い、待機電力の消費を削減する通電制御管理システムを提供する。【解決手段】電気機器３ａから３ｄへの待機通電及び前記待機通電を停止するアダプタ１と、人検知センサ４ａから４ｄと、人検知センサの人検知信号に基き、電気機器への待機通電をするようにアダプタ１を制御するコントローラ２を備えたものである。人検知センサにより電気機器を使用する人の存在を知ってからアダプタを制御して電気機器に待機通電を行うのである。【選択図】図１
2005253223.tif 000002
【特許請求の範囲】
【請求項１】
電気機器への待機通電及び前記待機通電を停止する待機通電切断装置と、人検知センサと、前記人検知センサの人検知信号に基き、電気機器への待機通電するように前記待機通電切断装置を制御する待機通電制御装置を備えた通電制御管理システム。
【請求項２】
待機通電制御装置は、人検知センサの人検知信号の出力がなくなった時から所定時間経過後に電気機器への待機通電を停止するように待機通電切断装置を制御する請求項１記載の通電制御管理システム。
【請求項３】
待機通電制御装置は、待機通電切断装置の機能を備えてなる請求項１または請求項２に記載の通電制御管理システム。
【請求項４】
人検知センサは、待機通電制御装置に有線または無線で直接に信号を送るように構成した請求項１から請求項３のいずれかに記載の通電制御管理システム。
【請求項５】
人検知センサは、人が携帯する発信機の信号を受信して人検知信号を送るように構成した請求項１から請求項４のいずれかに記載の通電制御管理システム。
【請求項６】
待機通電切断装置は電気機器に接続し、人検知センサは前記待機通電切断装置に接続してなる請求項１から請求項５のいずれかに記載の通電制御管理システム。
【請求項７】
複数の待機通電制御装置を有する請求項１から請求項６のいずれかに記載の通電制御管理システム。
【請求項８】
請求項１から請求項７のいずれかに記載の通電制御管理システムを複数構築し、前記複数の通電制御管理システムと通信回線を通じて情報を管理する集中管理コントローラを備えた通電制御管理システム。
【発明の詳細な説明】
【技術分野】
【０００１】
本発明は、電気機器の待機通電制御を管理する通電制御管理システムに関するものである。
【背景技術】
【０００２】
近年、地球環境の温暖化やエネルギー消費の効率化が問題となっており、電気機器は一般的に省エネを考慮して設計されている。そして、この電気機器は一般的に使用に備えて商用電源に通じている建物の壁等に埋設してある電源ラインの電源コンセントに電源プラグを常時接続し、電気機器の電源スイッチを入れれば直ぐに使用できる、いわゆる待機通電の状態にしてある。
【０００３】
この状態下にある電気機器では、実際に使用されていないのに、例えば電気機器内のマイクロコンピュータ等による待機電力の消費が行われており、この待機電力の消費を削減できない問題を有している。また、電気機器は遠隔からでも効率的に制御できるように、電気機器が相互に接続され、通信により電気機器を制御するネットワークシステムが構築されている。
【０００４】
このような電気機器における従来の通電制御装置は、電気機器の通電を制限するアダプタとそのアダプタを制御するコントローラを有している。（例えば、特許文献１参照）。
【０００５】
図７は上記従来の通電制御装置を示しており、アダプタ１０１は、電気機器１０３と商用電源１０６の間においてコンセント１０４とプラグ１０５を以って電気機器１０３と商用電源１０６に接続され、商用電源１０６から電気機器１０３への通電を制御する。そして、アダプタ１０１は、アダプタ自身に接続されているコントローラ１０２によって制御される。
【０００６】
以上のように構成された通電制御装置について、その動作を説明する。アダプタ１０１は電気機器１０３による商用電源１０６の使用状況を取得し、取得した使用状況のデータをコントローラ１０２へ蓄積する。コントローラ１０２は、その蓄積されたデータを基に学習し、電気機器１０３が使用される時間を予想してアダプタ１０１を制御し、電気機器１０３への商用電源１０６の通電を管理する。
【０００７】
しかし、従来の通電制御装置は、一定期間において電気機器１０３の使用状況のデータをアダプタ１０１にて取得してコントローラ１０２に蓄積し、更にそのデータを基にコントローラ１０２が学習してアダプタ１０１を介して電気機器１０３への商用電源１０６の通電制御の管理を行わなければならないという問題を有していた。また、前記学習した結果から予想した時間が、必ず電気機器が使用される時間と一致するかどうかもわからないという問題も有している。
【特許文献１】特開２００１−２５１７５９号公報（Ｐ２００１−２５１７５９Ａ）
【発明の開示】
【発明が解決しようとする課題】
【０００８】
上記従来の技術の問題点に鑑み、本発明が解決しようとする課題は、電気機器の使用状況を学習する必要なく、効率的に電気機器への待機通電を制御し、待機電力の消費を削減する通電制御管理システムを提供することにある。
【課題を解決するための手段】
【０００９】
上記課題を解決するために、本発明の通電制御管理システムは、電気機器への待機通電及び前記待機通電を停止する待機通電切断装置と、人検知センサと、前記人検知センサの人検知信号に基き、電気機器に待機通電するように前記待機通電切断装置を制御する待機通電制御装置を備えている。そして、人検知センサによる電気機器を使用する人を検知した時に始めて待機通電制御装置が待機通電切断装置を制御して電気機器への待機通電を行うので、電気機器の待機通電制御を効率的に行い待機電力の消費を削減することができる。
【００１０】
第２の発明は、第１の発明の待機通電制御装置を、人検知センサの人検知信号の出力がなくなった時から所定時間経過後に電気機器への待機通電を停止するように待機通電切断装置を制御する構成にしたことにより、電気機器の使用者がいなくなって所定時間すぎれば、人検知センサによる人検知信号の出力がなくり、自動的に待機通電制御装置が待機通電切断装置を制御して電気機器への待機通電の停止を行うので、電気機器の待機電力の消費を削減することができる。また、電気機器の使用者が所定時間内であれば人検知センサの検知範囲外に居っても待機通電制御装置により電気機器の待機通電の制御は維持され、使い勝手をよくできる。
【００１１】
第３の発明は、第１の発明または第２の発明の待機通電制御装置に、待機通電切断装置の機能を備えることにより、待機通電制御装置より直接に電気機器の待機通電制御が可能になり、別個の待機通電制御装置から待機通電切断装置を経て制御する際より迅速にできる。
【００１２】
第４の発明は、第１の発明から第３の発明のいずれかにおける人検知センサを、待機通電制御装置に有線または無線で直接に信号を送るように構成したことにより、無線通信はもちろん、建物等に既設されている電灯線通信も採用でき施工が容易になる。
【００１３】
第５の発明は、第１の発明から第４の発明のいずれかにおける人検知センサを、人が携帯する発信機の信号を受信して人検知信号を送るように構成したことにより、人検知センサはペットを区別して人だけを検知できるので無駄なく待機通電制御ができるとともに、人物を特定できる発信機にすることで、その人物が使用する電気機器のみを待機通電制御することも可能になり、一層無駄のない待機通電制御ができる。
【００１４】
第６の発明は、第１の発明から第５の発明のいずれかにおける待機通電切断装置を電気機器に接続し、人検知センサは前記待機通電切断装置に接続したことにより、電気機器と対応して人検知センサを設置することが可能になり、人検知センサの設置場所に余り制約を受けなく施工において有利になる。
【００１５】
第７の発明は、第１の発明から第６の発明のいずれかにおいて、複数の待機通電制御装置を有することにより、制御する電気機器の数をそれぞれの待機通電制御装置に分散させることで制御負荷の分散が可能になり、制御上で有利である。
【００１６】
第８の発明は、第１の発明から第７の発明のいずれかにおける通電制御管理システムを複数構築し、前記複数の通電制御管理システムと通信回線を通じて情報を管理する集中管理コントローラを備えることにより、各通電制御管理システムと通信回線を使用して通信履歴と管理情報を取得して、それぞれの通電制御管理システムの管理に使用することが可能になる。
【発明の効果】
【００１７】
以上のように本発明は、事前に電気機器の使用状況を把握することなく電気機器の待機通電制御を管理するので、電気機器の待機電力の消費を削減し、省エネで効果的な通電制
御管理システムを実現することができる。
【発明を実施するための最良の形態】
【００１８】
（実施の形態１）
図１は、本発明の実施の形態１における通電制御管理システムの全体の概略構成と電気機器が設置されている室内の配置図で、図２は、同通電制御管理システムの全体構成を示すブロック図である。図１、図２において、本実施の形態における通電制御管理システムは、通路１０に通じる三つの部屋Ａ、Ｂ、Ｃがあって、部屋Ａに配置した群を成す５台の電気機器３ａ、部屋Ｂに配置した群を成す５台の電気機器３ｂ、そして部屋Ｃに配置した群を成す３台づつの電気機器３ｃ、３ｄの待機通電を制御して管理するものである。
【００１９】
電気機器３ａから３ｄ（図２には電気機器３ａ、３ｂのみ示す）は、それぞれが対で備える待機通電切断装置であるアダプタ１に接続され、アダプタ１は商用電源に通じ、建物の壁等に埋設してある電灯線である電源ラインＧに接続してある電源コンセント（図示せず）に電源プラグ（図示せず）で接続して電源ラインＧに並列に接続している。また、アダプタ１は各電器機器３ａから３ｄの各アダプタ１とコントローラ２の直ぐ手前にもアダプタ１ａを接続している。
【００２０】
アダプタ１は、各電気機器３ａから３ｄの電源スイッチをいれると直ぐに各電気機器３ａから３ｄを使用できる状態にするため、待機通電の状態及び前記待機通電の状態を停止する機能と、自身が接続されている電気機器と異なる電気機器の間、アダプタ１ａとの間、接続した電気機器との間を無線または有線で通信できる機能を有する。また、アダプタ１ａは電気機器３ａから３ｄが接続されているアダプタ１から受信した信号をコントローラに対応した信号に変換してコントローラ２に送信する役割を有する。
【００２１】
コントローラ２は、通路１０の見える部屋Ｃの位置に設置され、商用電源ラインＧに通じ、壁等に埋設してある電源コンセントに電源プラグを接続し、アダプタ１、１ａを通じて電気機器３ａから３ｄの待機通電及び待機通電を停止させる制御を一括で管理する待機通電制御装置である。そして、コントローラ２は、各部屋ＡからＣに配置した人検知センサ４ａ、４ｂ、４ｃ、４ｄが、それぞれ入室してきた人８が携帯する例えばＩＣタグ等の識別情報を持ち、かつ通信可能な発信機５の信号を通じて人を検知した時に発する人検知信号を取り込んで、それぞれに対応する各部屋ＡからＣの電気機器３ａから３ｄに待機通電をするように各アダプタ１を制御する。
【００２２】
また、コントローラ２はそれぞれの人検知センサ４ａから４ｄの検知範囲から人８がいなくなり、それぞれ人検知センサ４ａから４ｄの人検知信号の出力がなくなると、この出力信号を取り込んでタイマが働き、この所定時間の作動中に再度、人検知センサ４ａから４ｄが人８を検知できなかった場合である所定時間経過後に、それぞれに対応する各部屋ＡからＣの電気機器３ａから３ｄへの待機通電を切るタイマ２ａを備えている。
【００２３】
人検知センサ４ａから４ｄは、通常、電源ラインＧに接続し、人８の携帯する発信機５からの信号を検知するもので、各部屋ＡからＣにおいて人８の発信機５からの信号を検知し易い位置に設置してある。また、人検知センサ４ａから４ｄは、アダプタ１に有線または無線で直接に信号を送るように構成している。図中９ａ、９ｂは部屋Ａ、Ｂの扉である。
【００２４】
以上のように構成された通電制御管理システムについて、その動作を説明する。まず、三つの部屋Ａ、Ｂ、Ｃに通じる通路１０を通行する人８がいるとする。この時点で、三つの部屋Ａ、Ｂ、Ｃに設置してある電気機器３ａから３ｄの電気機器は待機通電されていない。
【００２５】
人８が通路１０から扉９ａを開けて部屋Ａに入り、人８の発信機５の信号が人検知センサ４ａに検知されると、この人検知センサ４ａが検知した情報をコントローラ２に無線または有線による通信で通知し、コントローラ２は人検知センサ４ａが設置されている部屋Ａにある５台の電気機器３ａ、または発信機５の信号が人物を特定する識別情報も入っておれば、その人物の専用の電気機器のみの使用に供えての待機通電を開始するように、電源ラインＧを通じて電気機器３ａにそれぞれ接続されている各アダプタ１の制御を行う。これにより、５台の電気機器３ａ、または特定の電気機器が待機通電の状態になり、いつでも電源スイッチを入れて使用可能となる。
【００２６】
次に人８が部屋Ａから出で人検知センサ４ａの検知範囲から出た場合のコントローラ２は、そのタイマ２ａが働きだし、このタイマ作動中に再度、人検知センサ４ａにより人８の発信機５の信号が検知されない場合は、電源ラインＧを通じてアダプタ１を制御して電気機器３ａの待機通電を遮断する。もちろん、コントローラ２は電気機器３ａ、または特定の電気機器の待機通電、及びその待機通電の停止である使用状況のデータもアダプタ１を通じて蓄積して管理を行うのである。
【００２７】
そして、上記手順で以って他の部屋Ｂ、部屋Ｃの人検知センサ４ｂから４ｄが人８を検知した場合、または検知範囲から人８が出た場合も、人検知センサ４ｂから４ｄの人検知信号の出力、または人検知信号がなくなったことを取り込んだコントローラ２により各アダプタ１を制御して電気機器３ｂから３ｄへの待機通電または待機通電を停止させる制御と、使用状況のデータも蓄積して管理を行うのである。
【００２８】
以上のように本実施の形態では、コントローラが人検知センサにより電気機器を使用する人の存在、及び不存在を知ってからアダプタを制御して電気機器に待機通電及び停止を行うので、事前に電気機器の使用状況を把握し、これを基に待機通電の推定学習をする必要のない簡単な装置にできるだけでなく、正確に待機通電が制御でき、待機通電電力の消費を削減できる。
【００２９】
また、電気機器の使用者がいなくなって待機通電制御装置のタイマが所定時間すぎれば、人検知センサによる人検知信号の出力がなくなり自動的に待機通電制御装置が待機通電切断装置を制御して電気機器への待機通電の停止を行い、一方、電気機器の使用者が所定時間内であれば人検知センサの検知範囲外に居っても待機通電制御装置により電気機器の待機通電の制御は維持され、結果として使い勝手の良い待機通電制御ができる。
【００３０】
また、人検知センサは人が携帯する発信機の信号を通じて人を検知するので、ペットを区別して無駄なく待機通電制御ができるとともに、人物を特定できる発信機にすることで、その人物が使用する電気機器のみを待機通電制御することも可能になり、一層無駄のない待機通電制御ができる。もちろん、ペット等、外光等の影響を受けて誤動作することのない人検知センサであれば、本実施の形態のように発信機を必ずしも必要とするものではない。
【００３１】
なお、本実施の形態ではコントローラ２とアダプタ１をそれぞれ別個に設けたが、これらを一体にしてコントローラ２はアダプタ１の機能を持って直接に電気機器３ａから３ｄの待機通電及び待機通電の停止を行うようにしても良い。この場合、人検知センサ４ａから４ｄが検知した情報を直接、アダプタ１に通知し通電制御を行うことで、コントローラ２を経由しない分、通電制御を行うまでの時間が早くなり有利であるとともに、通電制御を行った後で、アダプタ１からコントローラ２へ制御履歴を送信することにより、コントローラ２は電気機器３ａから３ｄまでの通電制御を管理できる。
【００３２】
また、アダプタ１は電気機器３ａから３ｄまでのそれぞれの電気機器に対して内蔵されている必要はなく、電気機器が接続されている壁の電源コンセントに埋め込まれていても良い。
【００３３】
また、本実施の形態では待機通電制御を管理する電気機器の対象として特定をしなかったが、例えばパソコンや、常時通電が必要な冷蔵庫のような電気機器は待機通電制御の管理から外し、そして、この通電制御対象から特定の電気機器を除外するための識別機能手段を、アダプタ１またはコントローラ２に設けると、なお一層の効率的な待機通電制御の管理ができる。
【００３４】
（実施の形態２）
図３は、本発明の実施の形態２における通電制御管理システムの全体構成を示すブロック図である。本実施の形態は、人検知センサをコントローラに直接接続した点で実施の形態１の発明と異なるだけであり、従って異なるところを中心に説明する。
【００３５】
図３において、人を検知する人検知センサ４ｘは、待機通電制御対象であるそれぞれの電気機器３ｘと一対で設けられ電源ラインＧの電源コンセントから常時電力を得て、それぞれコントローラ２に人検知信号及び人を検知していない信号を直接に入力することが可能な構成にしている。複数の電気機器３ｘはそれぞれアダプタ１を介して電源ラインＧの電源コンセントに電源プラグを介して接続している。
【００３６】
なお、人検知センサ４ｘは実施の形態１の人検知センサ４ａから４ｄと、また電気機器３ｘも実施の形態１の電気機器３ａから３ｄとそれぞれ同じ構成と作用を有するものである。
【００３７】
上記実施の形態の通電制御管理システムについて、その動作を説明する。まず、人検知センサ４ｘが電気機器３ｘを使用するため、部屋等に入って来かけた人を検知すると、その人検知信号が直接にコントローラ２に入力される。そして、コントローラ２は電源ラインＧを通じてアダプタ１を待機通電に制御し、アダプタ１は電気機器３ｘを待機通電の状態にする。
【００３８】
従って、電気機器３ｘは電源スイッチを入れれば、いつでも使用できることになる。特に、本実施の形態では複数の人検知センサ４ｘの人検知、または不検知の信号をコントローラ２に直接に集中して入力しているので、コントローラ２への通知を早くできる。
【００３９】
なお、本実施の形態ではそれぞれの人検知センサ４ｘはそれぞれの電気機器３ｘと対をなしているが、必ず一対である必要はなく、任意の組み合わせで連動させることができるものであってもよい。例えば、１番目の人検知センサ４ｘが動作した時は電気機器３ｘを１台、２番目の人検知センサ４ｘが動作した時は電気機器３ｘを２台、１番目と２番目の人検知センサ４ｘが動作した時は電気機器３ｘを３台制御することである。
【００４０】
（実施の形態３）
図４は、本発明の実施の形態３における通電制御管理システムの全体構成を示すブロック図である。本実施の形態は、人検知センサを電気機器のアダプタに直接接続した点で実施の形態１及び２の発明と異なるだけであり、従って異なるところを中心に説明する。
【００４１】
図４において、人を検知する人検知センサ４ｙは、待機通電制御対象であるそれぞれの電気機器３ｙと一対で設けられ、電源ラインＧの電源コンセントから電力を得るアダプタ１に、対を成して直接に接続している。そして、人検知センサ４ｙはアダプタ１に内臓されているものでも良いし、内臓されていないものであっても良い。
【００４２】
なお、人検知センサ４ｙは実施の形態１の人検知センサ４ａから４ｄと、また電気機器３ｙも実施の形態１の電気機器３ａから３ｄとそれぞれ同じ構成と作用を有するものである。
【００４３】
上記実施の形態の通電制御管理システムについて、その動作を説明する。まず、人検知センサ４ｙが電気機器３ｙを使用するため、部屋等に入って来かけた人を検知すると、その人検知信号が直接に対を成しているアダプタ１に入力される。そして、アダプタ１は待機通電の制御になり、アダプタ１は電気機器３ｘを待機通電の状態にする。
【００４４】
従って、電気機器３ｘは電源スイッチを入れれば、いつでも使用できることになる。特に、本実施の形態では、人検知センサ４ｙはそれぞれ電気機器３ｙと一対一の対応で近接して設けられているので、人検知センサ４ｙの設置場所を気にせず、電気機器３ｙの通電制御を行うことができる。また、人検知センサ４ｙを、建物の壁の電源コンセントに埋め込むことにより、新たな設置場所が必要なく、電気機器の外観を損なうこともない。
【００４５】
（実施の形態４）
図５は、本発明の実施の形態４における通電制御管理システムの全体構成を示すブロック図である。本実施の形態は、構築した一つの通電制御管理システム内に、複数のコントローラを設けて電気機器を分散してデータ管理と待機通電制御を行うようにした点で実施の形態１から３の発明と異なるだけであり、従って異なるところを中心に説明する。
【００４６】
図５において、本実施の形態の通電制御管理システムは、それぞれアダプタ１を介して電源ラインＧに並列接続した群を成す複数の電気機器３ｖ、人検知センサ４ｖとこれらの電源ラインＧにアダプタ１ａを直列接続したグループＶのコントローラ２ｖと、そして、それぞれアダプタ１を介して電源ラインＧに並列接続した群を成す複数の電気機器３ｗ、人検知センサ４ｗとこれらの電源ラインＧにアダプタ１ａを直列接続したコントローラ２ｗのグループＷとを以って一つのネットワークを構築している。従って、一つのネットワーク内に二つのコントローラ２ｖ、２ｗを設けて、電気機器を分散して待機通電制御とデータ管理を行うように構成しているものである。
【００４７】
なお、コントローラ２ｖ、２ｗは実施の形態１のコントローラ２と、また人検知センサ４ｖ、４ｗも実施の形態１の人検知センサ４ａから４ｄと、さらに電気機器４ｖ、４ｗも実施の形態１の電気機器３ａから３ｄとそれぞれ同じ構成と作用を有するものである。また、人検知センサ４ｖが人を検知した時に、通電制御及び停止制御を行う複数の電気機器３ｖのうちの、いずれかは自由に設定できるものであっても良い。
【００４８】
上記実施の形態の通電制御管理システムについて、その動作を説明する。まず、グループＶにおける人検知センサ４ｖが電気機器３ｖを使用するため部屋等に入って来かけた人を検知すると、その人検知信号がコントローラ２ｖに入力される。そして、コントローラ２ｖは電源ラインＧを通じてアダプタ１を待機通電に制御し、アダプタ１は電気機器３ｖを待機通電の状態にする。
【００４９】
また、同じようにグループＷにおける人検知センサ４ｗが電気機器３ｗを使用するため部屋等に入って来かけた人を検知すると、その人検知信号がコントローラ２ｗに入力される。そして、コントローラ２ｗは電源ラインＧを通じてアダプタ１を待機通電に制御し、アダプタ１は電気機器３ｗを待機通電の状態にする。
【００５０】
従って、電気機器３ｖ、３ｗも電源スイッチを入れれば、いつでも使用できることになる。特に本実施の形態では、一つのネットワークを構築している通電制御管理システム内
にあって、複数の電気機器３ｖのグループＶと、複数の電気機器３ｗのグループＷに分けてコントローラ２ｖとコントローラ２ｗが通電制御及び停止制御を行っているので、待機通電制御の対象となる電気機器の数が増えた場合、一つのコントローラが制御する電気機器の数を分散させることができ、コントローラの負荷を分散することができ、制御上で有利である。
【００５１】
（実施の形態５）
図６は、本発明の実施の形態５における通電制御管理システムの全体構成を示すブロック図である。本実施の形態は、集中管理コントローラを備え、通信回線を使用して複数の通電制御管理システムを集中管理するようにした点で実施の形態１から４の発明と異なるだけであり、従って異なるところを中心に説明する。
【００５２】
図６において、集中管理コントローラ６は、ＬＡＮまたは屋外の公衆回線または専用回線等の通信回線７を使用して、それぞれ別々のネットワークシステムを構築している通電制御管理システム２０、２１、２２から種々の情報を読み取り集中管理する。なお、通電制御管理システム２０は実施の形態１を示す図２と同様に、アダプタ１ａ、１、コントローラ２、電気機器３ａから３ｃ（一部、図示せず）、人検知センサ４ａ、４ｂ（一部、図示せず）を電源ラインＧに接続しているものである。また、他の通電制御管理システム２１、２２も前記した通電制御管理システム２０と同様の構成であり、各通電制御管理システム２０から２２の各コントローラ２は、集中管理コントローラ６からの情報読み込みに対応する送受信機能と自己の識別をする機能を併せ備えている。このようにコントローラ２は、アダプタ１の待機通電の制御を管理する機能の他に、公衆回線等を使って例えばインターネット上のサーバ等に接続し、それと通信する機能を有する。
【００５３】
上記実施の形態において３組の通電制御管理システムについて、その動作を説明する。まず、通電制御管理システム２０、２１、２２は、実施の形態１で説明したように、それぞれの通電制御管理システムが電気機器３ａから３ｃの待機通電及び待機通電を停止する制御を行うとともに、この待機通電制御のデータをコントローラ２にて管理している。
【００５４】
一方、集中管理コントローラ６は通信回線７を通じて通電制御管理システム２０、２１、２２のコントローラ２からシステムの通信履歴と管理情報を取得し、この管理情報から各システム特有の通電制御情報を割り出し、各システムの省エネ管理に役立てるものである。なお、集中管理コントローラ６は、管理する通電制御管理システムの数を限定せず、またシステム内の電気機器の数も限定しない。
【００５５】
以上のように本実施の形態では、集中管理コントローラ６は、長期的に個々の通電制御管理システムの情報を取得することにより、その情報から各通電制御管理システム特有の通電制御情報を取得することができる。そして、この情報を基に各通電制御管理システムの省エネ効果を管理することで、電気機器の設置場所、人検知センサの設置場所を最適な位置に配置する指標をつくることができる。
【００５６】
なお、上記各実施の形態の通電制御管理システムは、建物等に既設してある電灯線である電源ラインを使用した有線により、通信、制御を行うこともできるし、無線通信によっても行うことができるものである。
【００５７】
また、上記各実施の形態のコントローラ２はアダプタ１を通して電源供給されているため、アダプタ１により通電制御を行うことは可能であるが、本システムの稼動している通常時は通電状態にしてある。
【産業上の利用可能性】
【００５８】
本発明の通電制御管理システムは、自動で効率的に電気機器の待機通電電力の消費を削減することができ、住宅やオフィス、工場の電気設備及び電気機器の通電制御を管理するシステム等に有用である。
【図面の簡単な説明】
【００５９】
【図１】本発明の実施の形態１における通電制御管理システムの全体構成の概念図
【図２】同実施の形態１における通電制御管理システムの全体構成を示すブロック図
【図３】本発明の実施の形態２における通電制御管理システムの全体構成を示すブロック図
【図４】本発明の実施の形態３における通電制御管理システムの全体構成を示すブロック図
【図５】本発明の実施の形態４における通電制御管理システムの全体構成を示すブロック図
【図６】本発明の実施の形態５における通電制御管理システムの全体構成を示すブロック図
【図７】従来の通電制御装置の構成を示すブロック図
【符号の説明】
【００６０】
１  アダプタ（待機通電切断装置）
２  コントローラ（待機通電制御装置）
２ａ  タイマ
３ａ、３ｂ、３ｃ、３ｄ、３ｖ、３ｗ、３ｘ、３ｙ  電気機器
４ａ、４ｂ、４ｃ、４ｄ、４ｖ、４ｗ、４ｘ、４ｙ  人検知センサ
５  発信機
６  集中管理コントローラ
７  通信回線
２０、２１、２２  通電制御管理システム
【図１】
2005253223.tif 000003
【図２】
2005253223.tif 000004
【図３】
2005253223.tif 000005
【図４】
2005253223.tif 000006
【図５】
2005253223.tif 000007
【図６】
2005253223.tif 000008
【図７】
2005253223.tif 000009